(57)【特許請求の範囲】
【請求項１】
家電／電子製品の待機電力遮断装置であって、
ターンオン操作による第１のノブの機構的移動により自体的に電力を発生し、該当電力でオン信号を発生する自家発電オン／オフスイッチを含み、該当製品のオン／オフ信号を発生するオン／オフスイッチング部と、
外部入力電源を受信して該当製品の内部各機能部の動作電源を提供する電源部と、
駆動信号により駆動して前記電源部に提供される前記外部入力電源の電源供給経路を遮断するか導通させる電源スイッチング部と、
前記オン／オフスイッチング部で発生されたオフ信号によって該当製品の電源オフのための制御信号を発生する制御部と、
前記オン／オフスイッチング部で発生されたオン信号の電力により駆動電力を獲得し、前記電源スイッチング部が前記電源供給経路を導通させるように駆動し、前記制御部から提供される電源オフのための制御信号によって前記電源スイッチング部が前記電源供給経路を遮断させるように駆動する駆動部と、を含み、
前記自家発電オン／オフスイッチは、
前記第１のノブとして、プレート上に回転可能に設置される中孔を具備したチューブ形態のダイヤルノブと、
前記ダイヤルノブの中孔上に設けられた押さえ操作が可能な押さえノブと、を含んで構成されて、
前記ダイヤルノブの内部ではＮ極とＳ極が交代で配置される複数の発電用永久磁石が設置されて、前記押さえノブには発電用コイルが設置され、前記ダイヤルノブを回転することにより、前記複数の発電用永久磁石と前記発電用コイルの相互作用により前記発電用コイルを通じて前記オン信号に該当する電流が発生する、
ことを特徴とする待機電力遮断装置。
【請求項２】
前記オン／オフスイッチング部は、
前記自家発電オン／オフスイッチで発生された交流電源を直流に変換する交流−直流変換機を具備し、前記交流−直流変換機で前記駆動部の駆動電力のためのオン信号を提供し、
前記交流−直流変換機で出力された信号を予め設定された時間の間遅延して前記駆動部に前記電源スイッチング部が前記電源供給経路を導通させるように駆動させるオン信号を提供することを特徴とする請求項１に記載の待機電力遮断装置。
【請求項３】
前記押さえノブと連動するタックスイッチをさらに具備して前記押さえノブが押さえられる場合に前記タックスイッチの接点が接続されるように構成し、前記タックスイッチの動作によって前記オン／オフスイッチング部のオフ信号が発生するように構成することを特徴とする請求項１又は２に記載の待機電力遮断装置。
【請求項４】
家電／電子製品のオン／オフ操作のためのオン／オフスイッチであって、
ターンオン操作による第１のノブの機構的移動により自体的に電力を発生し、  該当電力でオン信号を発生するオンスイッチモジュールと、
前記第１のノブまたは前記第１のノブとは別途に設けられる第２のノブの操作による接点が接触するか否かによってオフ信号を発生するオフスイッチモジュールと、を含み、
前記オンスイッチモジュールは、
前記第１のノブとして、プレート上に回転可能に設置される中孔を具備したチューブ形態のダイヤルノブと、
前記第２のノブとして、前記ダイヤルノブの中孔上に設けられた押さえ操作が可能な押さえノブと、を含み、
前記ダイヤルノブの内部ではＮ極とＳ極が交代で配置される複数の発電用永久磁石が設置され、前記押さえノブには発電用コイルが設置され、前記ダイヤルノブを回転することにより、前記複数の発電用永久磁石と前記発電用コイルの相互作用により前記発電用コイルを通じて前記オン信号に該当する電流が発生する、
ことを特徴とするオン／オフスイッチ。
【請求項５】
前記オン／オフスイッチは、
前記オンスイッチモジュールで発生された電力を直流に変換する交流−直流変換機と、
前記交流−直流変換機で出力された信号を予め設定された時間の間遅延するタイムデレイ部と、をさらに含むことを特徴とする請求項４に記載のオン／オフスイッチ。
【請求項６】
前記オフスイッチモジュールは、
前記押さえノブと連動するタックスイッチをさらに具備して前記押さえノブが押さえられる場合に前記タックスイッチの接点が接続されるように構成し、前記タックスイッチの動作によって前記オフ信号が発生するように構成することを特徴とする請求項４又は５に記載のオン／オフスイッチ。
【発明の詳細な説明】
【技術分野】
【０００１】
本発明は、多様な家電／電子製品の電源を‘オフ’した場合にも、該当家電／電子製品と連結した電源プラグを抜かない場合に浪費される待機電力を遮断するための装置に関し、特に、電源プラグを抜かなくても待機電力を完全に遮断する待機電力遮断装置とこれに適用可能なオン／オフ操作用オン／オフスイッチに関する。
【背景技術】
【０００２】
通常に、家電／電子製品は、家庭、企業などに設置された電源コンセントに自身の電源プラグを連結して１１０Ｖ／２２０Ｖ交流常用電源を内部の電源部で受信して、電源部を通じて常用電源を通常直流の動作電源に変換して使用する。このような家電／電子製品は、通常電源オフ状態でも、ユーザから電源オン／オフ操作時、これの感知信号を発生するオン／オフスイッチの動作及び電源部への電源供給のための電源スイッチング部の駆動などのための最小限の必要電源、すなわち待機電力を消耗している。
【０００３】
待機電力を遮断するためには、電源プラグを電源コンセントから抜いておくことが最も確実な方法であるが、ユーザが該当製品の未使用時、毎度このような作業を遂行することは大変面倒であり、通常電源プラグが連結した状態でそのままおいてしまう場合も多いので、待機電力が継続消耗されている実情である。
【０００４】
これによって、待機電力を減らすために、各種待機電力節減コンセントと待機電力低減装置が研究及び提供されている。特に、世界各国で待機電力を減らすためにあらゆる電子製品の待機電力を１Ｗ以下で規制し、順次規制を強化して行くプログラムを施行している。
【０００５】
しかしながら、このような規制は力率を共に規制しないことで、国家の全体電力生産量は、規制の前と後に特別な節減効果がなく、エネルギー浪費は、規制の前と同様であり、電力生産によるＣＯ２発生量も変わりないので、環境を汚染させる速度が遅くなっていない実情である。また、待機電力１Ｗ以下を満足させるための別途の複雑な構成が追加されることにより、製品コストが上昇する問題点もあった。
【発明の概要】
【発明が解決しようとする課題】
【０００６】
したがって、本発明は上述した従来技術の問題点を改善しようと案出されたことで、家電／電子製品の電源プラグが差し込まれていても家電／電子製品の電源を‘オフ’すると、電源プラグが抜かれたように待機電力を完全に遮断できる待機電力遮断装置及びそれに適用されることができるオン／オフ操作用オン／オフスイッチを提供する。
【課題を解決するための手段】
【０００７】
上記のような目的を達成するために、本発明の一態様によれば、家電／電子製品の待機電力遮断装置を提供する。上記装置は、ターンオン操作による第１のノブの機構的移動により自体的に電力を発生し、該当電力でオン信号を発生する自家発電オン／オフスイッチを含み、該当製品のオン／オフ信号を発生するオン／オフスイッチング部と、外部入力電源を受信して該当製品の内部各機能部の動作電源を提供する電源部と、駆動信号により駆動して上記電源部に提供される上記入力電源の電源供給経路を遮断するか導通させる電源スイッチング部と、上記オン／オフスイッチング部で発生されたオフ信号によって該当製品の電源オフのための制御信号を発生する制御部と、上記オン／オフスイッチング部で発生されたオン信号の電力により駆動電力を獲得し、上記電源スイッチング部が上記電源供給経路を導通させるように駆動し、上記制御部から提供される電源オフのための制御信号によって上記電源スイッチング部が上記電源供給経路を遮断させるように駆動する駆動部と、を含むことを特徴とする。
【０００８】
本発明の他の態様によれば、家電／電子製品のオン／オフ操作のための自家発電オン／オフスイッチを提供する。上記オン／オフスイッチは、ターンオン操作による第１のノブの機構的移動により自体的に電力を発生し、  該当電力でオン信号を発生するオンスイッチモジュールと、上記第１のノブまたは上記第１のノブとは別途に設けられる第２のノブの操作による接点が接触するか否かによってオフ信号を発生するオフスイッチモジュールと、を含むことを特徴とする。
【発明の効果】
【０００９】
このように、本発明によるオン／オフスイッチ及びそれを用いた待機電力遮断装置は、家電／電子製品の電源‘オフ’時、電源プラグを抜かなくても待機電力を完全に遮断することができるので、力率を管理する必要もなく、本発明による装置をあらゆる製品に適用すると、待機電力で浪費される国家電力発電量を１００％に節減でき、さらに電力生産時に発生されるＣＯ２を低減して地球の環境汚染を減らすことができる効果がある。
【図面の簡単な説明】
【００１０】
【図１】本発明の第１の実施形態による自家発電オン／オフスイッチの概略的な構造図である。
【図２】本発明の第２の実施形態による自家発電オン／オフスイッチの概略的な構造図である。
【図３】本発明の第１の実施形態による待機電力遮断装置を具備した家電／電子製品で関連部の回路ブロック構成図である。
【図４】本発明の第２の実施形態による待機電力遮断装置を具備した家電／電子製品で関連部の回路ブロック構成図である。
【発明を実施するための形態】
【００１１】
以下、本発明を実施するための形態を、図面を参照しながら詳細に説明する。
【００１２】
下記の説明ではダイヤルノブ、マイコン、押さえノブ、ラッチングリレー、ロッド型押さえノブなどのような特定事項らが開示されているが、これは本発明のより全般的な理解を助けるために提供されたことであるだけである。このような特定事項らに対して本発明の範囲内で所定の変形やあるいは変更がなされることができることは、この技術分野で通常の知識を有した者には自明なはずである。
【００１３】
図１は、本発明の第１の実施形態による自家発電オン／オフスイッチの概略的な構造図として、図１(ａ)には、平面構造が示され、図１(ｂ）には、側面構造が示されている。図１に示された本発明による自家発電オン／オフスイッチは、該当待機電力遮断を必要とする家電／電子製品の動作オン／オフ操作のためのスイッチとして採用される。この時、本発明による自家発電オン／オフスイッチは、ユーザのオン操作時に、ターンオン信号及びターンオン動作のための電力を自体発生する構造を特徴的に具備する。
【００１４】
すなわち、本発明では該当製品がオフ状態の場合には、外部の電源を受信して該当製品の動作電源を発生する電源部への電源供給経路に設置される電源スイッチング部をオフさせ、待機電力を完全に遮断するようになるが、このような状態で該当製品のターンオン時に、電源スイッチング部を動作させるための電力を自家発電オン／オフスイッチで自体的に発生するようになる。
【００１５】
図１を参照すると、本発明の第１の実施形態による、ユーザのターンオン操作による第１のノブ(ダイヤルノブ１１）の機構的移動により自体的に電力を発生し、該当電力でターンオン信号を発生する自家発電オン／オフスイッチ１は、オン信号を発生するオンスイッチモジュールとオフ信号を発生するオフスイッチモジュールで大きく区分されて構成され得る。オンスイッチモジュールは、プレート１６上に回転可能に設置される、例えば、中孔を具備したチューブ形態のダイヤルノブ１１及び該当ダイヤルノブ１１の中孔上に設けられた押さえ操作が可能な押さえノブ１４等を通じて具現され得る。
【００１６】
ダイヤルノブ１１の内部では、適所にＮ極とＳ極が交代で配置される複数の発電用永久磁石１３が設置され、これと対向する内部の押さえノブ１４には発電用コイル８が設置される。これによってダイヤルノブ１１を回すと、内部に設けられた永久磁石１３が押さえノブ１４を回転基準として、Ｎ極とＳ極を交代で極性を変更するようになり、したがって押さえノブ１４内に設けられたコイル８に電流が発生する。発生された電流は、コイル８と連結した入出力線１２を通じて発生される。このように、ダイヤルノブ１１に設置される永久磁石１３及び押さえノブ１４に設けられたコイル８は、互いに連動して発電機構造を有することが分かる。
【００１７】
一方、自家発電オン／オフスイッチ１でオフ信号を発生するオフスイッチモジュールは、押さえノブ１４及びタックスイッチ１５を通じて具現され得る。すなわち、押さえノブ１４の押さえ操作は、ユーザから該当装置の電源オフ操作の入力を受けるためのものとして、押さえノブ１４と連動するタックスイッチ１５を押さえノブ１４の下端に互いに触れ合うように具備し、押さえノブ１４が押さえられる場合に、タックスイッチ１５の接点Ｃ１、Ｃ２が接続されるように構成し、押さえノブ１４を放すと、タックスイッチ１５の自体スプリング力で押さえノブ１４が本来の位置に戻ってきて接点Ｃ１、Ｃ２が離れるように構成することができる。
【００１８】
上記のように、本発明の第１の実施形態による自家発電オン／オフスイッチ１が構成され得る。上記のような構成でダイヤルノブ１１を回転可能な構造を有すると共に、全体的に押さえ可能な構造も有することができる。そのような場合に、ダイヤルノブの下端にタックスイッチを設置し、該当ダイヤルノブが押さえられる場合に、タックスイッチによりオフ信号が発生される構造を有することもできる。それ以外にも、本発明による自家発電オン／オフスイッチ１は、多様な構造を有することができる。
【００１９】
図２は、本発明の第２の実施形態による自家発電オン／オフスイッチの概略的な構造図として、図２(ａ)には平面構造が示され、図２(ｂ）には側面構造が示されている。図２を参照すると、本発明の第２の実施形態による、ユーザのターンオン操作による第１のノブ(ロッド型押さえノブ２）の機構的移動により自体的に電力を発生し、該当電力でターンオン信号を発生する自家発電オン／オフスイッチ１は、基本的に、小型発電機７と、小型発電機７の回転子と連動して回転可能なピニオンギア６と、ピニオンギア６と連動するラックギア構造を具備したロッド型押さえノブ２とを含む。それ以外にもロッド型押さえノブ２の移動を支持及びガイドする支持部材(３)が含まれることができる。
【００２０】
このような構造を有するので、ロッド型押さえノブ２をＡ方向に押すと、ロッド型押さえノブ２のラックギア構造と噛み合ったピニオンギア６が回転して発電機７の回転子を回転させるようになり、これによって電気が発生されるように構成する。ロッド型押さえノブ２には、復元力を提供するためのスプリング４が設けられ、押さえられたロッド型押さえノブ２を放すようになれば、スプリング４がＢ方向に復元されながら本来の位置に戻すようにする。
【００２１】
一方、ロッド型押さえノブ２の押さえ操作によって同時にユーザから該当装置の電源オフ操作を受けるように構成することができるが(すなわち、ロッド型押さえノブの押さえ操作時、該当製品がオフ状態ではターンオン状態で動作し、該当製品がオン状態ではターンオフ状態で動作する)、このような構成のためにロッド型押さえノブ２が押さえられる場合に、オフ信号を発生するフォトカプラ５を具備することができる。すなわち、ロッド型押さえノブ２が押さえられる場合に、ロッド型押さえノブ２の一端または圧縮されたスプリング４によりフォトカプラ５の発光素子で発生された光が遮断されるようにして、該当光が受光素子に入力されないように構成することができる。
【００２２】
以下、上記のような本発明の第１または第２の実施形態による自家発電オン／オフスイッチを具備する本発明の第１の実施形態による待機電力遮断装置に対して添付図３を参照して詳細に説明する。
【００２３】
図３は、本発明の第１の実施形態による待機電力遮断装置を具備した家電／電子製品で関連部の回路ブロック構成図である。図３を参照すると、本発明の第１の実施形態による待機電力遮断装置は、基本的に、図１及び図２に示したような自家発電オン／オフスイッチ１を含み、該当製品のオン／オフ信号を発生するオン／オフスイッチング部２７と、外部入力電源を受信して該当製品２０の内部各機能部の動作電源を提供する電源部２２と、駆動信号により駆動して電源部に提供される入力電源の電源供給経路を遮断するか導通させる電源スイッチング部２６と、オン／オフスイッチング部２７で発生されたオフ信号によって該当製品の電源オフのための制御信号を発生する制御部２３と、オン／オフスイッチング部２７で発生されたオン信号の電力により駆動電力を獲得し、電源スイッチング部２６が電源供給経路を導通させるように駆動し、制御部２３から提供される電源オフのための制御信号によって電源スイッチング部２６が電源供給経路を遮断させるように駆動する駆動部２４を含んで構成される。この時、自家発電オン／オフスイッチ１は、例えば図１に示された第１の実施形態の構造を採用することが示されている。
【００２４】
電源部２２は、１１０Ｖ、２２０Ｖの常用交流電源を受信して、例えば１２Ｖや５Ｖの製品動作電源ＶＣＣ及びＶＰを発生するように構成することができる。
【００２５】
電源スイッチング部２６は、単純に駆動信号によってオン／オフ駆動するラッチングリレーで具現することができる。
【００２６】
制御部２３は、製品のあらゆる動作状態と演算、判断制御をするためにマイコンＵ１で具現されることができる。
【００２７】
オン／オフスイッチング部２７には、図１及び図２に示したような自家発電オン／オフスイッチ１のみを具備することもできるが、この他にも本発明の実施形態によって、自家発電オン／オフスイッチ１が交流電源を発生する構造で採用する場合に発生された交流電源を直流に変換する並列−直列変換機２１を具備し、並列−直列変換機２１で駆動部２４の動作電源ＶＧを供給するように構成することができる。また、このような並列−直列変換機２１で駆動部２４に供給される動作電源ＶＧが十分に供給された後に、駆動部２４をターンオン制御するために、並列−直列変換機２１で出力された信号を一定時間の間遅延して駆動部２４に提供するためのタイムデレイ部２５を具備することができる。
【００２８】
駆動部２４は、オン／オフスイッチング部２７で提供されるオン信号と、制御部２３の制御信号によりスイッチング動作する第１乃至第４のトランジスタ(例えばｎｐｎ型）の連結構造で具現されることができる。
【００２９】
この時、駆動部２４の第１、第２のトランジスタＱ１、Ｑ２は、各々共通的に電源部２２から提供される動作電源(ＶＣＣ)及びオン／オフスイッチング部２７から提供されるオン信号に該当する動作電源(ＶＧ）を入力(例えば、コレクタ端)で受信し、第２のトランジスタＱ２の出力(例えば、エミッタ端)は電源スイッチング部２６のソレノイドの第１の端(Ｓ）と連結し、第１のトランジスタＱ１の出力(エミッタ端)は、ソレノイドの第２の端(Ｒ）と連結する構造を有することができる。また第３のトランジスタＱ３の入力(コレクタ端）は、ソレノイドの第１の端(Ｓ）と連結し、出力(エミッタ端)は接地端と連結し、第４のトランジスタＱ４の入力(コレクタ端）は、ソレノイドの第２の端(Ｒ）と連結し、出力(エミッタ端)は接地端と連結する構造を有する。
【００３０】
このような構成によって、オン／オフスイッチング部２７でのオン信号が駆動部２４の第１及び第４のトランジスタＱ１、Ｑ４のベース端に‘ハイ’で印加されると、第１及び第４のトランジスタＱ１、Ｑ４がターンオンされ電流が電源スイッチング部２６のラッチングリレーのソレノイドＲからＳに流れ、ソレノイドがエナジャイズされラッチングリレーの接点Ｃ３、Ｃ４がついて電源部２２に電源が供給される。
【００３１】
一方、製品の電源をオフするために、図１に示したような第１の実施形態による自家発電オン／オフスイッチ１の押さえノブ１４を押すと、タックスイッチ１５の接点Ｃ１、Ｃ２が接続されるが、接点Ｃ１は、制御部２３のマイコン入力Ｉ１と連結すると共に、抵抗Ｒ１を通じて該当製品の動作電源ＶＣＣを受信するように連結し、接点Ｃ２は接地端と連結する構成を有することができる。これによって、接点Ｃ１、Ｃ２が接続されると、ロー状態の信号が制御部２３のマイコン入力Ｉ１に供給される。
【００３２】
これと類似に、図２に示したような第２の実施形態による自家発電オン／オフスイッチ１のロッド型押さえノブ２が押さえられる場合にも、フォトカプラ５によるロー状態の信号が制御部２３のマイコンＵ１に入力Ｉ１に供給されるように構成することができる。
【００３３】
制御部２３のマイコンＵ１入力Ｉ１がローとなると、電気供給を遮断するために出力Ｏ１をハイに出力して駆動部２４の第２及び第３のトランジスタＱ２、Ｑ３のベース端に印加されるように構成することができる。これによって、第２及び第３のトランジスタＱ２、Ｑ３は、ターンオンされ電源スイッチング部２６のラッチングリレーのソレノイドＳからＲに電流が流れてエナジャイズされ接点Ｃ３、Ｃ４が離れて電源部２２に電源供給が遮断されるように構成する。
【００３４】
以下、上記のように構成される本発明の特徴による待機電力遮断装置の動作をより詳細に説明すると、製品の電源をターンオンするための初期電気発生のために、例えば、図１のプレート１６上に構成されたダイヤルノブ１１を回すと、ダイヤルノブ１１内に永久磁石１３が回転しながらＮ極とＳ極が交差され、押さえノブ１４内に設けられたコイル８に電流が流れて電気が発生される。
【００３５】
また、他の方式で、図２のようにロッド型押さえノブ２をＡ方向に押すと、ロッド型押さえノブ２のラックギア構造と噛み合っているピニオンギア６が回転して発電機７の回転子を回して電気が発生される。
【００３６】
このように発生された電気は、交流であり得るので、図２のように並列−直列変換機２１で直流電源に変換し、駆動部２４に駆動電源ＶＧを供給し、電源スイッチング部２６のラッチングリレー２６を安全に駆動するために、駆動部電源ＶＧが安定した後、電源オン信号を駆動部２４に一定時間後に供給されるようにタイムデレイ部２５でタイムデレイを与えてオン信号が提供される。駆動部２４に提供されたオン信号は、駆動部２４の第１及び第４のトランジスタＱ１、Ｑ４のベース端にハイ状態で印加され、第１及び第４のトランジスタＱ１、Ｑ４がターンオンされ、これによってラッチングリレーのソレノイドＲからＳに電流が流れ、ソレノイドがエナジャイズされ接点Ｃ３、Ｃ４が接続されるため、電源部２２に電源が供給される。
【００３７】
電源が電源部２２に供給されると、電源部２２は製品に必要な電源を生成して供給する。必要な電源が制御部２３に供給されると、制御部２３は制御を開始して製品の機能を遂行する。
【００３８】
一方、製品が正常動作しながら電源をオフするための動作を説明すると、図１の押さえノブ１４を押すと、押さえノブ１４下に設けられたタックスイッチ１５のノブが押さえられてタックスイッチ１５の接点Ｃ１、Ｃ２が接続され、抵抗Ｒ１と直列に連結してマイコンＵ１の入力Ｉ１がローとなる。
【００３９】
もう一つの方法で、図２のロッド型押さえノブ２をＡ方向に押すと、ロッド型押さえノブ２がフォトカプラ５の光の伝達を遮断し、光の伝達が遮断されることによってマイコンＵ１の入力Ｉ１がローになるように構成することができる。
【００４０】
制御部２３のマイコンＵ１の入力Ｉ１がローで入力されると、マイコンＵ１は電源をオフしようとすることと判断してマイコンＵ１の出力Ｏ１を‘ハイ'として出力し、これは駆動部２４の第２及び第３のトランジスタＱ２、Ｑ３のベース端に印加され、第２及び第３のトランジスタＱ２、Ｑ３がターンオンされる。これによって、電流がラッチングリレーのソレノイドＳからＲに流れ、ソレノイドがオン状態とは反対状態でエナジャイズされラッチングリレー接点Ｃ３、Ｃ４が離れて電源部２２に供給されていた電源を遮断するようになり、これによって待機電力を完全に遮断するようになる。
【００４１】
上記のように本発明の実施形態によるオン／オフスイッチ及びこれを採用した待機電力遮断装置及びそれによるオン／オフスイッチング動作や待機電力遮断動作がなされることができる。一方、上記の本発明の説明では具体的な実施形態に関して説明したが、本発明の範囲及び趣旨を逸脱することなく、ここに説明する実施形態の様々な変更及び修正が可能であるということは、当該技術分野における通常の知識を有する者には明らかである。
【００４２】
例えば、上記の実施形態では、オン／オフスイッチング部２７で発生されたオン信号が駆動部２４に提供され、駆動部２４で電源スイッチング部２６を駆動することと説明したが、この他にもオン／オフスイッチング部２７で発生されたオン信号が電源スイッチング部２６を直ちに駆動するように構成することも可能である。図４を参照してより詳細に説明する。
【００４３】
図４は、本発明の第２の実施形態による待機電力遮断装置を具備した家電／電子製品で関連部の回路ブロック構成図である。図４に示された第２の実施形態による構成は、図３に示された第１の実施形態の構成と大部分類似しているが、図２に示された第１の実施形態の構成で駆動部２４及び電源スイッチング部２６の役割を、図４に示された第２の実施形態ではフォトカプラとトライアックの結合構造であるフォトトライアック(photo-TRIAC)で構成された電源スイッチング部２８で全部遂行する構造である。この場合に、フォトトライアックのフォトカプラ部分は、駆動部の役割をし、トライアック部分は電源スイッチング部の役割をすることと見なすことができる。
【００４４】
すなわち、オン／オフスイッチング部１で発生されたオン信号(電力）は、電源スイッチング部２８のフォトトライアックの発光ダイオードＤ８に供給され、併せて、制御部２３のマイコンＵ１の第３の出力Ｏ３から出力される制御信号も、フォトトライアックの発光ダイオードＤ８に共通的に提供される構造を有することができる。
【００４５】
これによって、オン／オフスイッチング部１で発生されたオン信号(電力)が電源スイッチング部２８のフォトトライアックの発光ダイオードＤ８に供給される場合に、フォトトライアックがターンオン状態となり、フォトトライアックの主伝送ラインＴ１、Ｔ２が連結状態となる。これによって、電源部２２に電源が供給され、電源部２２は製品に必要な電源を発生して製品に供給する。この時、制御部２３のマイコンＵ１に電源が供給されると、マイコンＵ１は第３の出力Ｏ３をハイ状態として、フォトトライアックの発光ダイオードＤ８に供給することによって、フォトトライアックは継続ターンオン状態となって電源部２２に電源の供給が維持される。
【００４６】
以後、製品の電源をオフする場合に、制御部２３のマイコンＵ１は、第３の出力Ｏ３をロー状態で出力してフォトトライアックの発光ダイオードＤ８の電源が遮断され消灯されるようにする。これに伴い、フォトトライアックがターンオフ状態となり、フォトトライアックの主伝送ラインであるＴ１、Ｔ２が遮断状態となることによって、電源部２２に供給されていた電源が遮断され待機電力がゼロとなる。
【００４７】
このように、フォトトライアックを利用した本発明の第２の実施形態による待機電力遮断装置が構成されることができ、この場合にオン／オフスイッチング部２７には、図３に示された第１の実施形態で設けられるタイムデレイ部２５は設けられないこともできる。
【符号の説明】
【００４８】
１  オン／オフスイッチング部
２  ノブ
４  スプリング
５  フォトカプラ
６  ピニオンギア
７  小型発電機
８  発電コイル
１１  ダイヤルノブ
１２  入出力線
１３  永久磁石
１４  押さえノブ
１５  タックスイッチ
１６  プレート
２１  並列―直列変換機
２２  電源部
２３  制御部
２４  駆動部
２５  タイムデレイ部
２６、２８  電源スイッチング部
２７  オン／オフスイッチング部
【図１（ａ）】
0005847172.tif 000002
【図１（ｂ）】
0005847172.tif 000003
【図２（ａ）】
0005847172.tif 000004
【図２（ｂ）】
0005847172.tif 000005
【図３】
0005847172.tif 000006
【図４】
0005847172.tif 000007